(57)【要約】【課題】環状搬送路を備えたタイプの画像形成装置であって、シートを安定して搬送でき、画像品質を良好に維持できるものを提供すること。【解決手段】環状搬送路１３２の内周側に、環状搬送路１３２に面し、かつ環状搬送路１３２に沿ったシート搬送方向に関して並べて配置された複数の像担持体ローラ１０４Ｙ，１０４Ｍ，１０４Ｃ，１０４Ｋを備える。環状搬送路１３２の外周側に、対向ローラ１０５Ｙ，１０５Ｍ，１０５Ｃ，１０５Ｋを備える。各像担持体ローラとそれに圧接された対向ローラとがそれぞれ転写ローラ対を構成する。特定の像担持体ローラ１０４Ｙに隣り合った位置に補助ローラ１０９が設けられる。シートの搬送の進行に同期して、特定の像担持体ローラ１０４Ｙと対向ローラ１０５Ｙとを離間させると共に、補助ローラ１０９と対向ローラ１０５Ｙとで搬送用のローラ対を構成する。【選択図】図１
2009300561.tif 000002
【特許請求の範囲】
【請求項１】
湾曲して環状をなす環状搬送路と、
上記環状搬送路の内周側に、上記環状搬送路に面し、かつ上記環状搬送路に沿ったシート搬送方向に関して並べて配置された複数の像担持体ローラと、
上記環状搬送路の外周側に、上記各像担持体ローラとそれぞれ転写ローラ対を構成するように、上記各像担持体ローラにそれぞれ圧接して設けられた対向ローラと、
上記各像担持体ローラの表面にそれぞれ固有色の画像を形成する作像部と、
上記環状搬送路にシートを導入し、上記転写ローラ対のニップ部を順次通して上記シート搬送方向に沿ってシートを搬送させながら、上記作像部によって上記各像担持体ローラの表面に形成された画像を上記シートに順次転写させ、画像が転写された上記シートを上記環状搬送路から離脱させる制御を行う制御部とを備え、
上記複数の像担持体ローラのうち特定の像担持体ローラに対して、上記環状搬送路に沿って隣り合った位置に補助ローラが設けられ、
上記シートの搬送の進行に同期して、上記特定の像担持体ローラと上記補助ローラとを一体に上記環状搬送路に沿って移動させるか、または上記転写ローラ対を構成している上記対向ローラを上記環状搬送路に沿って移動させて、上記転写ローラ対を構成する上記特定の像担持体ローラと上記対向ローラとを離間させると共に、上記補助ローラと上記対向ローラとで搬送用のローラ対を構成するローラ対切り替え制御を行うローラ対切替部を備えたことを特徴とする画像形成装置。
【請求項２】
請求項１に記載の画像形成装置において、
上記複数の転写ローラ対は、上記環状搬送路に沿って、上記シートに対して上記固有色の画像が転写されるべき所定の順番に応じて並んでおり、
上記特定の像担持体ローラを含む転写ローラ対は、上記環状搬送路のうち、上記シートが最後に転写されるべき固有色の転写ローラ対と上記シートを離脱させるべき箇所との間に存在し、
上記ローラ対切替部は、上記シートの末尾が上記最後に転写されるべき固有色の転写ローラ対を通過した後、上記シートの先端が上記特定の像担持体ローラを含む転写ローラ対に達する前に、上記ローラ対切り替え制御を行うことを特徴とする画像形成装置。
【請求項３】
請求項１に記載の画像形成装置において、
上記複数の転写ローラ対は、上記環状搬送路に沿って、上記シートに対して上記固有色の画像が転写されるべき所定の順番に応じて並んでおり、
上記特定の像担持体ローラを含む転写ローラ対は、上記環状搬送路のうち、上記シートが導入されるべき箇所と上記シートが最初に転写されるべき固有色の転写ローラ対との間に存在し、
上記ローラ対切替部は、上記シートの先端が上記特定の像担持体ローラを含む転写ローラ対に達する前に、上記ローラ対切り替え制御を行うことを特徴とする画像形成装置。
【請求項４】
請求項１に記載の画像形成装置において、
上記複数の転写ローラ対は、上記環状搬送路に沿って、上記シートに対して上記固有色の画像が転写されるべき所定の順番に応じて並んでおり、かつ、上記固有色の画像としてブラックの画像を形成すべきブラック転写ローラ対を含み、
上記特定の像担持体ローラを含む転写ローラ対は、上記環状搬送路のうち、上記シートが導入されるべき箇所と上記ブラック転写ローラ対との間に存在し、
上記複数の像担持体ローラが一体の内側ユニットとして構成されるとともに、上記ブラック転写ローラ対を構成する対向ローラが上記内側ユニットと一体に構成され、
上記ローラ対切替部は、モノクロ画像形成時に、上記シートの先端が上記特定の像担持体ローラを含む転写ローラ対を通過する前に、上記内側ユニットと上記ブラック転写ローラ対を構成する対向ローラとを一体に上記内側ユニットの中心の周りに回転させながら、上記特定の像担持体ローラと上記補助ローラとを一体に上記環状搬送路に沿って移動させて、上記ローラ対切り替え制御を行うことを特徴とする画像形成装置。
【請求項５】
請求項１に記載の画像形成装置において、
上記環状搬送路の上方に配置された手差し口を備え、この手差し口と上記環状搬送路とがシート導入路によって接続されていることを特徴とする画像形成装置。
【請求項６】
請求項１に記載の画像形成装置において、
上記環状搬送路の下部のレベルに配置された、シートを自動で供給する自動供給口を備え、この自動供給口と上記環状搬送路とがシート導入路によって接続されていることを特徴とする画像形成装置。
【発明の詳細な説明】
【技術分野】
【０００１】
この発明は画像形成装置に関し、より詳しくは、カラー画像形成装置に関する。
【背景技術】
【０００２】
従来、カラー画像形成装置としては、感光体ドラムとこの感光体ドラムに圧接されたローラとの対（以下「転写ローラ対」という。）が４組互いに間隔を有して直線的に１列に並べて配置され、記録媒体（以下「シート」という。）を上記各転写ローラ対のニップ部を順次通して搬送し、電子写真方式で上記感光体ドラムの表面に形成されたトナー画像を上記シートに順次転写する方式のものが知られている（例えば、特許文献１（特開平０７−３１９２５４号公報）参照。）。
【特許文献１】特開平０７−３１９２５４号公報
【特許文献２】特開２００６−３４９７０１号公報
【発明の開示】
【発明が解決しようとする課題】
【０００３】
しかしながら、上記特許文献１の構成では、転写ローラ対が４組互いに間隔を有して直線的に１列に並べて配置されているため、装置が大型になる等の問題がある。
【０００４】
このため、本出願人は、先に、小型に構成できる画像形成装置として、環状搬送路と、上記環状搬送路の内周側に配置された複数の像担持体ローラと、上記環状搬送路の外周側に配置され、上記各像担持体ローラにそれぞれ圧接して設けられたた対向ローラとを備え、上記各像担持体ローラと対向ローラとでそれぞれ転写ローラ対を構成する画像形成装置を提案した（特願２００８−１５１７９７号）。この画像形成装置では、上記環状搬送路にシートを導入し、上記転写ローラ対のニップ部を順次通して上記環状搬送路に沿ってシートを搬送させながら、上記各像担持体ローラの表面に形成された画像を上記シートに順次転写させ、画像が転写された上記シートを上記環状搬送路から離脱させる。
【０００５】
この画像形成装置においても、一般的な画像形成装置と同様に、シートを安定して搬送し、画像品質を良好に維持する必要がある。
【０００６】
そこで、この発明の課題は、そのような環状搬送路を備えたタイプの画像形成装置であって、シートを安定して搬送でき、画像品質を良好に維持できるものを提供することにある。
【課題を解決するための手段】
【０００７】
上記課題を解決するため、この発明の画像形成装置は、
湾曲して環状をなす環状搬送路と、
上記環状搬送路の内周側に、上記環状搬送路に面し、かつ上記環状搬送路に沿ったシート搬送方向に関して並べて配置された複数の像担持体ローラと、
上記環状搬送路の外周側に、上記各像担持体ローラとそれぞれ転写ローラ対を構成するように、上記各像担持体ローラにそれぞれ圧接して設けられた対向ローラと、
上記各像担持体ローラの表面にそれぞれ固有色の画像を形成する作像部と、
上記環状搬送路にシートを導入し、上記転写ローラ対のニップ部を順次通して上記シート搬送方向に沿ってシートを搬送させながら、上記作像部によって上記各像担持体ローラの表面に形成された画像を上記シートに順次転写させ、画像が転写された上記シートを上記環状搬送路から離脱させる制御を行う制御部とを備え、
上記複数の像担持体ローラのうち特定の像担持体ローラに対して、上記環状搬送路に沿って隣り合った位置に補助ローラが設けられ、
上記シートの搬送の進行に同期して、上記特定の像担持体ローラと上記補助ローラとを一体に上記環状搬送路に沿って移動させるか、または上記転写ローラ対を構成している上記対向ローラを上記環状搬送路に沿って移動させて、上記転写ローラ対を構成する上記特定の像担持体ローラと上記対向ローラとを離間させると共に、上記補助ローラと上記対向ローラとで搬送用のローラ対を構成するローラ対切り替え制御を行うローラ対切替部を備えたことを特徴とする。
【０００８】
この発明の画像形成装置では、制御部は、上記環状搬送路にシートを導入し、上記転写ローラ対のニップ部を順次通して上記シート搬送方向に沿ってシートを搬送させながら、上記作像部によって上記各像担持体ローラの表面に形成された画像を上記シートに順次転写させ、画像が転写された上記シートを上記環状搬送路から離脱させる制御を行う。これにより、各像担持体ローラからの画像が転写されたシートが得られる。
【０００９】
ここで、環状搬送路が「湾曲して環状をなす」とは、直線状ではなく、屈曲せず、湾曲して環になっていることを意味する。したがって、真円の環に限られず、例えば楕円の環でも良い。
【００１０】
また、「固有色」とは、その像担持体ローラに固有の色を意味する。例えばイエロー、シアン、マゼンタ、ブラックのような基本色を指す。
【００１１】
また、「搬送用のローラ対」とは、そのローラ対を通過するシートに対して画像の転写を行わず、専らシートを搬送するためにのみ動作するローラ対を意味する。
【００１２】
この画像形成装置では、ローラ対切替部は、上記シートの搬送の進行に同期してローラ対切り替え制御を行う。すなわち、上記シートの搬送の進行に同期して、上記特定の像担持体ローラと上記補助ローラとを一体に上記環状搬送路に沿って移動させるか、または上記転写ローラ対を構成している上記対向ローラを上記環状搬送路に沿って移動させる。これにより、上記転写ローラ対を構成する上記特定の像担持体ローラと上記対向ローラとを離間させると共に、上記補助ローラと上記対向ローラとで搬送用のローラ対を構成する。このローラ対切り替え制御の結果、例えば或るシートに対して画像の転写が終了した転写ローラ対を上記シートが再び通過しようとするとき、その転写ローラ対を搬送用のローラ対に切り替えることができる。この結果、上記搬送用のローラ対によって、シートを安定して搬送できる。また、シートを安定して搬送できるので、画像品質を良好に維持できる。
【００１３】
ここで、上記環状搬送路の上記シート搬送方向に沿った長さは、上記シート搬送方向に関する上記シートの寸法よりも長いのが望ましい。この場合、上記シートの先端と末尾とが重なることがなく、用紙が円滑に搬送される。
【００１４】
一実施形態の画像形成装置では、
上記複数の転写ローラ対は、上記環状搬送路に沿って、上記シートに対して上記固有色の画像が転写されるべき所定の順番に応じて並んでおり、
上記特定の像担持体ローラを含む転写ローラ対は、上記環状搬送路のうち、上記シートが最後に転写されるべき固有色の転写ローラ対と上記シートを離脱させるべき箇所との間に存在し、
上記ローラ対切替部は、上記シートの末尾が上記最後に転写されるべき固有色の転写ローラ対を通過した後、上記シートの先端が上記特定の像担持体ローラを含む転写ローラ対に達する前に、上記ローラ対切り替え制御を行うことを特徴とする。
【００１５】
この一実施形態の画像形成装置では、上記搬送用のローラ対によって、上記環状搬送路のうち上記シートを離脱させるべき箇所に達するまで、上記シートを安定して搬送できる。また、上記シートに対して上記固有色の画像が所定の順番に転写された後、無用な色の画像がさらに転写されることがない。したがって、画像品質が良好になる。
【００１６】
一実施形態の画像形成装置では、
上記複数の転写ローラ対は、上記環状搬送路に沿って、上記シートに対して上記固有色の画像が転写されるべき所定の順番に応じて並んでおり、
上記特定の像担持体ローラを含む転写ローラ対は、上記環状搬送路のうち、上記シートが導入されるべき箇所と上記シートが最初に転写されるべき固有色の転写ローラ対との間に存在し、
上記ローラ対切替部は、上記シートの先端が上記特定の像担持体ローラを含む転写ローラ対に達する前に、上記ローラ対切り替え制御を行うことを特徴とする。
【００１７】
この一実施形態の画像形成装置では、上記搬送用のローラ対によって、上記シートが上記最初に転写されるべき固有色の転写ローラ対に達するまで、上記シートを安定して搬送できる。また、上記シートに対して上記固有色の画像が所定の順番に転写される。例えばイエロー、シアン、マゼンタ、ブラックの順番に転写される。したがって、画像品質が良好になる。
【００１８】
一実施形態の画像形成装置では、
上記複数の転写ローラ対は、上記環状搬送路に沿って、上記シートに対して上記固有色の画像が転写されるべき所定の順番に応じて並んでおり、かつ、上記固有色の画像としてブラックの画像を形成すべきブラック転写ローラ対を含み、
上記特定の像担持体ローラを含む転写ローラ対は、上記環状搬送路のうち、上記シートが導入されるべき箇所と上記ブラック転写ローラ対との間に存在し、
上記複数の像担持体ローラが一体の内側ユニットとして構成されるとともに、上記ブラック転写ローラ対を構成する対向ローラが上記内側ユニットと一体に構成され、
上記ローラ対切替部は、モノクロ画像形成時に、上記シートの先端が上記特定の像担持体ローラを含む転写ローラ対を通過する前に、上記内側ユニットと上記ブラック転写ローラ対を構成する対向ローラとを一体に上記内側ユニットの中心の周りに回転させながら、上記特定の像担持体ローラと上記補助ローラとを一体に上記環状搬送路に沿って移動させて、上記ローラ対切り替え制御を行うことを特徴とする。
【００１９】
この一実施形態の画像形成装置では、上記ローラ対切替部は、モノクロ画像形成時に、上記シートの先端が上記ブラック転写ローラ対を通過する前に、上記内側ユニットと上記ブラック転写ローラ対を構成する対向ローラとを一体に上記内側ユニットの中心の周りに回転させながら、上記特定の像担持体ローラと上記補助ローラとを一体に上記環状搬送路に沿って移動させる。この結果、上記環状搬送路に沿って、上記シートが導入されるべき箇所と、上記ローラ対切り替え制御によって構成された上記搬送用のローラ対と、上記ブラック転写ローラ対とがこの順に並ぶ状態となる。上記シートを上記ブラック転写ローラ対を通過した直後に上記環状搬送路から離脱させれば、モノクロ画像形成時にシート（複数枚のプリントジョブの場合は１枚目のシート）の出力が早くなる。また、シートにブラック以外の色の画像を転写しないので、無駄な資源が消費されることがなく、省エネルギが可能となる。
【００２０】
一実施形態の画像形成装置では、上記環状搬送路の上方に配置された手差し口を備え、この手差し口と上記環状搬送路とがシート導入路によって接続されていることを特徴とする。
【００２１】
この一実施形態の画像形成装置では、上記手差し口から上記シート導入路を通して、重力を利用してシートが供給される。したがって、手差しによるシートの供給が円滑に行われる。
【００２２】
一実施形態の画像形成装置では、上記環状搬送路の下部のレベルに配置された、シートを自動で供給する自動供給口を備え、この自動供給口と上記環状搬送路とがシート導入路によって接続されていることを特徴とする。
【００２３】
この一実施形態の画像形成装置では、上記自動供給口から上記シート導入路を通してシートが自動的に供給される。したがって、シートの自動供給が円滑に行われる。また、シートの排出口は、この画像形成装置の本体の上部に容易に配置される。その場合、画像形成後のシートをユーザが取り出し易い。
【発明を実施するための最良の形態】
【００２４】
以下、この発明を図示の実施の形態により詳細に説明する。
【００２５】
（第１実施形態）
図１はこの発明の一実施形態の画像形成装置（全体を符号１００で示す。）の断面構造を示している。
【００２６】
この画像形成装置１００は、本体ケーシング１０１と、この本体ケーシング１０１内の略中央に配置された複数（この例では４組）の画像形成ユニットＹ，Ｍ，Ｃ，Ｋと、画像形成ユニットＹ，Ｍ，Ｃ，Ｋのそれぞれに対応して設けられた対向ローラとしての転写ローラ１０５Ｙ，１０５Ｍ，１０５Ｃ，１０５Ｋと、本体ケーシング１０１内の上部に配置された定着部としての定着ユニット１０６と、この装置全体の動作を制御する制御部としてのコントローラ１２０とを備えている。
【００２７】
本体ケーシング１０１の下部には、自動供給口としての開口１０１ｉが設けられている。この開口１０１ｉには、シートしての用紙９０が積載される給紙トレイ１０２が着脱可能に装着されている。本体ケーシング１０１内で開口１０１ｉの近傍には給紙ローラ対１０３が配置されている。この給紙ローラ対１０３によって、用紙９０は、給紙トレイ１０２から本体ケーシング内へ１枚ずつ取り込まれる。一方、本体ケーシング１０１の上部には、排紙口としての開口１０１ｅが設けられている。この開口１０１ｅには、排紙トレイ１０７が装着されている。このように、排紙トレイ１０７が本体ケーシング１０１の上部に設けられているので、画像形成後のシートをユーザが取り出し易い。
【００２８】
本体ケーシング１０１内には、シートとしての用紙９０を搬送するために、湾曲して環状（この例では略円環状）をなす環状搬送路（図１中に１点鎖線で示す。）１３２が設けられている。この環状搬送路１３２は、本体ケーシング１０１に支持された４つのガイド板１４２ａ，１４２ｂ，１４２ｃ，１４２ｄによって形成されている。
【００２９】
給紙ローラ対１０３のニップ部と環状搬送路１３２の下部（この例では後述する転写ローラ対（１０４Ｋ，１０５Ｋ）と（１０４Ｙ，１０５Ｙ）との間の部分）の或る箇所１３２ｉとを接続するように、略水平方向に延びるシート導入路（図１中に１点鎖線で示す。）１３１が設けられている。このシート導入路１３１は、本体ケーシング１０１に支持された互いに対向するガイド板１４１ａ，１４１ｂによって形成されている。給紙ローラ対１０３によって本体ケーシング１０１内に取り込まれた用紙９０は、このシート導入路１３１を通してシート搬送方向ｄ１に沿って環状搬送路１３２に導入される。これにより、用紙９０の自動供給が円滑に行われる。
【００３０】
なお、給紙トレイ１０２には、図示しない用紙センサが設けられている。給紙トレイ１０２に用紙９０がセットされていない場合や動作中に用紙９０が無くなった場合には、その情報「ペーパーエンプティ」がコントローラ１２０へ送られる。コントローラ１２０は、「ペーパーエンプティ」の情報を本体ケーシング１０１前面の表示パネル（図示せず）に表示して、ユーザに知らせる。
【００３１】
４組の画像形成ユニットＹ，Ｍ，Ｃ，Ｋは、ホルダ１０８とともに、環状搬送路１３２の内周側に収容されている。４組の画像形成ユニットＹ，Ｍ，Ｃ，Ｋはそれぞれ、図１においてこの装置の手前、奥の方向（シートの幅方向に相当する）に延び、かつ本体ケーシング１０１に支持された断面十字型のホルダ１０８に、集合して取り付けられている。画像形成ユニットＭ，Ｃ，Ｋは、それぞれ概ね角柱状に構成され、それぞれホルダ１０８の直角の窪みに嵌合する態様で、ホルダ１０８に一体に取り付けられている。画像形成ユニットＹは、概ね円柱状に構成され、ホルダ１０８の直角の窪みに収容される態様で、回転機構としてのモータ１９０を介してホルダ１０８に取り付けられている。これにより、４組の画像形成ユニットＭ，Ｃ，Ｋは、全体として概ね、この装置の手前、奥の方向に延びる角柱状に構成されている。ホルダ１０８に４組の画像形成ユニットＹ，Ｍ，Ｃ，Ｋが集合しているので、それらが互いに分離している場合に比して、小型化が可能となる。
【００３２】
画像形成ユニットＭは、像担持体ローラとしての感光体ドラム１０４Ｍと、この感光体ドラム１０４Ｍの表面に固有色としてのマゼンタの画像を形成する作像部１１０Ｍとを備えている。同様に、画像形成ユニットＣは、像担持体ローラとしての感光体ドラム１０４Ｃと、この感光体ドラム１０４Ｃの表面に固有色としてのシアンの画像を形成する作像部１１０Ｃとを備えている。また、画像形成ユニットＫは、像担持体ローラとしての感光体ドラム１０４Ｋと、この感光体ドラム１０４Ｋの表面に固有色としてのブラックの画像を形成する作像部１１０Ｋとを備えている。画像形成ユニットＹは、特定の像担持体ローラとしての感光体ドラム１０４Ｙと、この感光体ドラム１０４Ｙの表面に固有色としてのイエローの画像を形成する作像部１１０Ｙとを備え、さらに、感光体ドラム１０４Ｙに対して、環状搬送路１３２に沿って隣り合った位置に補助ローラ１０９を備えている。感光体ドラム１０４Ｙ，１０４Ｍ，１０４Ｃ，１０４Ｋは、それぞれ画像形成ユニットＹ，Ｍ，Ｃ，Ｋにおいてホルダ１０８の中心から遠い側のコーナに配置され、それぞれ環状搬送路１３２に面している。この例では、画像形成時には、感光体ドラム１０４Ｙ，１０４Ｍ，１０４Ｃ，１０４Ｋは、図示しない駆動部（モータなど）によって、それぞれの中心軸の周りに、図１の断面において反時計回りに駆動される。
【００３３】
図示を省略しているが、公知の電子写真方式で画像を形成するために、各画像形成ユニットの作像部１１０Ｙ，１１０Ｍ，１１０Ｃ，１１０Ｋは、その画像形成ユニットの感光体ドラムの表面を一様に帯電させる帯電部と、その感光体ドラムの表面に潜像を形成する露光部と、その感光体ドラムの表面の上記潜像を現像してトナー画像を形成する現像部と、転写後の感光体ドラムの表面を清掃するクリーニング部とを少なくとも含んでいる。用紙９０上のトナー画像は、定着ユニット１０６によってその用紙９０に定着される。
【００３４】
なお、露光部が露光すべき画像のデータとしては、例えば図示しないコンピュータから直接またはネットワークを介して、この画像形成装置１のコントローラ１２０に入力されたデータを用いることができる。
【００３５】
環状搬送路１３２の外周側に、感光体ドラム１０４Ｙ，１０４Ｍ，１０４Ｃ，１０４Ｋにそれぞれ対応して、対向ローラとしての転写ローラ１０５Ｙ，１０５Ｍ，１０５Ｃ，１０５Ｋが圧接して設けられている。なお、感光体ドラムとそれに圧接された転写ローラとの対を転写ローラ対（１０４Ｙ，１０５Ｙ）、（１０４Ｍ，１０５Ｍ）、（１０４Ｃ，１０５Ｃ）、（１０４Ｋ，１０５Ｋ）と呼ぶ。
【００３６】
上述のように、画像形成時には、感光体ドラム１０４Ｙ，１０４Ｍ，１０４Ｃ，１０４Ｋは、それぞれの中心軸の周りに、図１の断面において反時計回りに駆動される。それに伴って、転写ローラ１０５Ｙ，１０５Ｍ，１０５Ｃ，１０５Ｋは、それぞれの中心軸の周りに図１の断面において時計回りに従動する。これにより、環状搬送路１３２を通してシート搬送方向ｄ２，ｄ３，ｄ４に沿って用紙９０が搬送され得る。この結果、用紙９０には、各色の画像が転写されるべき所定の順番、この例ではイエロー→マゼンタ→シアン→ブラックの順番に従って画像が転写される。言い換えれば、転写ローラ対（１０４Ｙ，１０５Ｙ）、（１０４Ｍ，１０５Ｍ）、（１０４Ｃ，１０５Ｃ）、（１０４Ｋ，１０５Ｋ）は、環状搬送路１３２の内周に沿って、各色の画像が転写されるべき順番に応じて、略９０°の角度間隔で並べて配置されている。
【００３７】
環状搬送路１３２の図１において右側部（この例では、転写ローラ対（１０４Ｙ，１０５Ｙ）と（１０４Ｍ，１０５Ｍ）との間の部分）の或る箇所１３２ｅと定着ユニット１０６の定着ローラ対１６１，１６２のニップ部とを接続するように、略斜め鉛直方向に延びるシート離脱路（図１中に１点鎖線で示す。）１３３が設けられている。このシート離脱路１３３は、本体ケーシング１０１に支持された互いに対向するガイド板１４３ａ，１４３ｂによって形成されている。転写ローラ対（１０４Ｙ，１０５Ｙ）を通過して環状搬送路１３２をシート搬送方向ｄ３に沿って上方へ搬送される用紙９０は、上記箇所１３２ｅへ来たとき、コントローラ１２０によって制御される切換爪１２１の動作によって、そのまま環状搬送路１３２を搬送されるか、または環状搬送路１３２からシート離脱路１３３へ離脱されるかが切り換えられる。
【００３８】
定着ユニット１０６内には、加熱ローラ１６１と、この加熱ローラ１６１に圧接された加圧ローラ１６２との対が設けられている。この対を定着ローラ対（１６１，１６２）と呼ぶ。加熱ローラ１６１は、動作時には、用紙９０上のトナー画像を定着させるべき所定の温度（例えば約１８０°）に加熱される。定着ローラ対（１６１，１６２）は、用紙９０を上方へ搬送する向きに駆動される。定着ローラ対（１６１，１６２）のニップ部を用紙９０が搬送されることによって、用紙９０上のトナー画像が加熱および加圧を受けて、その用紙９０に定着される。定着ユニット１０６を通過して画像が定着された用紙９０は、開口１０１ｅを通して、排紙トレイ１０７上に排出される。
【００３９】
また、画像形成ユニットＹは、用紙９０の搬送の進行に同期して、コントローラ１２０によって制御されるモータ１９０によって、この画像形成ユニットＹの中心の周りに一体に回転される。これにより、転写ローラ対（１０４Ｙ，１０５Ｙ）を解消（すなわち、感光体ドラム１０４Ｙと転写ローラ１０５Ｙとを離間）して、補助ローラ１０９と転写ローラ１０５Ｙとで搬送用のローラ対（１０９，１０５Ｙ）を構成するローラ対切り替え制御が行われる（詳しくは後述する。）。
【００４０】
なお、シートとしての用紙９０の搬送の進行は、シート導入路１３１、環状搬送路１３２、シート離脱路１３３にそれぞれ対向して設けられた図示しない複数個の用紙センサ（例えば、公知の光遮断型または光反射型のセンサであって、搬送路のうちそのセンサが対向する箇所を用紙が通過するのを検知するもの）によって検知される。それらの用紙センサの出力はコントローラ１２０へ送られる。用紙９０の搬送の進行の検知の仕方は、後述の各実施形態でも同様である。
【００４１】
カラー画像形成時は、この画像形成装置１００は、コントローラ１２０の制御によって、全体として次のように動作する。
【００４２】
待機時には、画像形成ユニットＹに関して、図１に示すように転写ローラ対（１０４Ｙ，１０５Ｙ）が構成されているものとする。
【００４３】
コントローラ１２０は、まず給紙ローラ対１０３を動作させて、給紙トレイ１０２から１枚の用紙９０を本体ケーシング内のシート導入路１３１へ取り込む。取り込まれた用紙９０は、このシート導入路１３１を通してシート搬送方向ｄ１に沿って環状搬送路１３２に導入される。環状搬送路１３２に導入された用紙９０は、湾曲したシート搬送方向ｄ２に沿って、転写ローラ対（１０４Ｙ，１０５Ｙ）のニップ部へ送り込まれる。これと同期して、コントローラ１２０は、画像形成ユニットＹの作像部１１０Ｙを動作させて、感光体ドラム１０４Ｙの表面にイエローのトナー画像を形成させる。用紙９０が転写ローラ対（１０４Ｙ，１０５Ｙ）のニップ部を通して搬送されることによって、その用紙９０上にイエローのトナー画像が転写される。転写ローラ対（１０４Ｙ，１０５Ｙ）を通過した用紙９０は、箇所１３２ｅに達する。このとき、コントローラ１２０による切換爪１２１の制御によって、用紙９０は、そのまま環状搬送路１３２を搬送される。続いて、その用紙９０は、湾曲したシート搬送方向ｄ３に沿って、転写ローラ対（１０４Ｍ，１０５Ｍ）のニップ部へ送り込まれる。これと同期して、コントローラ１２０は、画像形成ユニットＭの作像部１１０Ｍを動作させて、感光体ドラム１０４Ｍの表面にマゼンタのトナー画像を形成させる。用紙９０が転写ローラ対（１０４Ｍ，１０５Ｍ）のニップ部を通して搬送されることによって、その用紙９０上にマゼンタのトナー画像が転写される。続いて、その用紙９０は、湾曲したシート搬送方向ｄ４に沿って、転写ローラ対（１０４Ｃ，１０５Ｃ）のニップ部へ送り込まれる。これと同期して、コントローラ１２０は、画像形成ユニットＣの作像部１１０Ｃを動作させて、感光体ドラム１０４Ｃの表面にシアンのトナー画像を形成させる。用紙９０が転写ローラ対（１０４Ｃ，１０５Ｃ）のニップ部を通して搬送されることによって、その用紙９０上にシアンのトナー画像が転写される。続いて、その用紙９０は、湾曲したシート搬送方向ｄ５に沿って、転写ローラ対（１０４Ｋ，１０５Ｋ）のニップ部へ送り込まれる。これと同期して、コントローラ１２０は、画像形成ユニットＫの作像部１１０Ｋを動作させて、感光体ドラム１０４Ｋの表面にブラックのトナー画像を形成させる。用紙９０が転写ローラ対（１０４Ｋ，１０５Ｋ）のニップ部を通して搬送されることによって、その用紙９０上にブラックのトナー画像が転写される。これにより、用紙９０上に転写されるべき４色の画像の転写が完了する。
【００４４】
用紙９０の搬送が進行し、用紙９０の末尾が転写ローラ対（１０４Ｙ，１０５Ｙ）を通過した後、用紙９０の先端が再び転写ローラ対（１０４Ｙ，１０５Ｙ）に達する前に、コントローラ１２０とモータ１９０がローラ対切替部として働いて、ローラ対切り替え制御が行われる。すなわち、コントローラ１２０によって制御されるモータ１９０によって、画像形成ユニットＹは、この画像形成ユニットＹの中心の周りに図２中に示す矢印ａＹの向き（反時計回り）に一体に回転される。これにより、転写ローラ対（１０４Ｙ，１０５Ｙ）が解消されて、補助ローラ１０９と転写ローラ１０５Ｙとで搬送用のローラ対（１０９，１０５Ｙ）が構成される（ローラ対切り替え制御）。
【００４５】
なお、環状搬送路１３２のシート搬送方向ｄ２，ｄ３，ｄ４，ｄ５に沿った長さは、上記シート搬送方向に関する用紙９０の寸法よりも長く設定されているものとする。この場合、用紙９０の先端と末尾とが重なることがなく、用紙９０が円滑に搬送される。
【００４６】
ローラ対切り替え制御によって搬送用ローラ対（１０９，１０５Ｙ）が構成された状態で、用紙９０は、湾曲したシート搬送方向ｄ６に沿って、搬送用ローラ対（１０９，１０５Ｙ）のニップ部へ送り込まれる。この搬送用ローラ対（１０９，１０５Ｙ）によって、用紙９０を安定して搬送できる。このとき、コントローラ１２０は、画像形成ユニットＹの作像部１１０Ｙの動作を休止させる。この場合、４色の画像が転写された用紙９０上に再びイエローのトナー画像が転写されることがない。つまり、無用な色の画像がさらに転写されることがない。したがって、画像品質が良好になる。これとともに、省資源化を実現できる。搬送用ローラ対（１０９，１０５Ｙ）を通過した用紙９０は、シートを離脱させるべき箇所１３２ｅに達する。このとき、コントローラ１２０は、切換爪１２１を制御して、環状搬送路１３２からシート搬送方向ｄ７に沿ってシート離脱路１３３へ用紙９０を離脱させる。
【００４７】
用紙９０の搬送が進行し、用紙９０の末尾が搬送用ローラ対（１０９，１０５Ｙ）を通過すると、コントローラ１２０によって制御されるモータ１９０によって、画像形成ユニットＹは、この画像形成ユニットＹの中心の周りに図２中に示す矢印ａＹとは反対の向き（時計回り）に一体に回転される。これにより、搬送用のローラ対（１０９，１０５Ｙ）が解消されて、次の画像転写のために、感光体ドラム１０４Ｙと転写ローラ１０５Ｙとで転写ローラ対（１０４Ｙ，１０５Ｙ）が構成される。
【００４８】
シート離脱路１３３へ送られた用紙９０は、定着ユニット１０６内の定着ローラ対（１６１，１６２）のニップ部を通して搬送される。用紙９０上のトナー画像は、定着ユニット１０６によってその用紙９０に定着される。
【００４９】
定着ユニット１０６を通過して画像が定着された用紙９０は、開口１０１ｅを通して、排紙トレイ１０７上に排出される。これによって、用紙９０上のトナー画像がその用紙９０に定着される。定着ユニット１０６を通過して画像が定着された用紙９０は、開口１０１ｅを通して、排紙トレイ１０７上に排出される。
【００５０】
このようにして、用紙９０が環状搬送路１３２を１周して４回のトナー画像（例えばイエロー、シアン、マゼンタ、ブラックの４色のトナー画像）の転写を受けた後、定着ユニット１０６を１回経ることによって、電子写真方式でカラー画像形成が行われる。
【００５１】
モノクロ画像形成時は、この画像形成装置１００は、コントローラ１２０の制御によって、全体として次のように動作する。
【００５２】
待機時には、画像形成ユニットＹに関して、図１に示すように転写ローラ対（１０４Ｙ，１０５Ｙ）が構成されているものとする。
【００５３】
まず、カラー画像形成時の場合と同様に、用紙９０は、給紙トレイ１０２からシート導入路１３１を通してシート搬送方向ｄ１に沿って環状搬送路１３２に導入される。用紙９０が本体ケーシング１０１内に取り込まれた後、転写ローラ対（１０４Ｙ，１０５Ｙ）に達する前に、コントローラ１２０とモータ１９０がローラ対切替部として働いて、ローラ対切り替え制御が行われる。すなわち、コントローラ１２０によって制御されるモータ１９０によって、画像形成ユニットＹは、この画像形成ユニットＹの中心の周りに図２中に示す矢印ａＹの向き（反時計回り）に一体に回転される。これにより、転写ローラ対（１０４Ｙ，１０５Ｙ）が解消されて、補助ローラ１０９と転写ローラ１０５Ｙとで搬送用のローラ対（１０９，１０５Ｙ）が構成される（ローラ対切り替え制御）。
【００５４】
環状搬送路１３２に導入された用紙９０は、湾曲したシート搬送方向シート搬送方向ｄ２，ｄ３，ｄ４に沿って、搬送用ローラ対（１０９，１０５Ｙ）、転写ローラ対（１０４Ｍ，１０５Ｍ）、転写ローラ対（１０４Ｃ，１０５Ｃ）を順次通して搬送される。このとき、コントローラ１２０は、画像形成ユニットＹ，Ｍ，Ｃの作像部１１０Ｙ，１１０Ｍ，１１０Ｃの動作を休止させる。これにより、最初に転写されるべきブラックの転写ローラ対（１０４Ｋ，１０５Ｋ）に達するまでに用紙９０が通過するローラ対（１０９，１０５Ｙ）、（１０４Ｍ，１０５Ｍ）、（１０４Ｃ，１０５Ｃ）を、搬送用のみに動作させる。
【００５５】
続いて、その用紙９０は、湾曲したシート搬送方向ｄ５に沿って、転写ローラ対（１０４Ｋ，１０５Ｋ）のニップ部へ送り込まれる。これと同期して、コントローラ１２０は、画像形成ユニットＫの作像部１１０Ｋを動作させて、感光体ドラム１０４Ｋの表面にブラックのトナー画像を形成させる。用紙９０が転写ローラ対（１０４Ｋ，１０５Ｋ）のニップ部を通して搬送されることによって、その用紙９０上にブラックのトナー画像が転写される。これにより、用紙９０上に転写されるべきブラックの画像の転写が完了する。
【００５６】
この後、用紙９０は、湾曲したシート搬送方向ｄ６に沿って、再び搬送用ローラ対（１０９，１０５Ｙ）のニップ部へ送り込まれる。このとき、コントローラ１２０は、カラー画像形成時の場合と同様に、画像形成ユニットＹの作像部１１０Ｙの動作を休止させる。搬送用ローラ対（１０９，１０５Ｙ）を通過した用紙９０は、シートを離脱させるべき箇所１３２ｅに達する。このとき、コントローラ１２０は、切換爪１２１を制御して、環状搬送路１３２からシート搬送方向ｄ７に沿ってシート離脱路１３３へ用紙９０を離脱させる。
【００５７】
シート離脱路１３３へ送られた用紙９０は、定着ユニット１０６内の定着ローラ対（１６１，１６２）のニップ部へ送り込まれる。用紙９０上のトナー画像は、定着ユニット１０６によってその用紙９０に定着される。定着ユニット１０６を通過して画像が定着された用紙９０は、開口１０１ｅを通して、排紙トレイ１０７上に排出される。
【００５８】
このようにした場合、搬送用ローラ対（１０９，１０５Ｙ）によって、用紙９０を安定して搬送できる。また、用紙９０に対してブラック以外の無用な色の画像が転写されることがない。したがって、画像品質が良好になる。これとともに、省資源化を実現できる。
【００５９】
この画像形成装置１００では、基本的に、複数の転写ローラ対（１０４Ｙ，１０５Ｙ）、（１０４Ｍ，１０５Ｍ）、（１０４Ｃ，１０５Ｃ）、（１０４Ｋ，１０５Ｋ）が、環状搬送路１３２に、シート搬送方向ｄ２，ｄ３，ｄ４，ｄ５に沿って並べて配置された状態にある。したがって、特許文献１（特開平０７−３１９２５４号公報）のような、複数の転写ローラ対が直線的に１列に並べて配置された構成のものに比して、この画像形成装置１００は小型に構成される。
【００６０】
（第２実施形態）
図３は、上述の画像形成装置１００を変形した変形例としての画像形成装置（全体を符号２００で示す。）の断面構造を示している。図３では、図１中の構成要素と対応する構成要素に１００ずつ増加した符号を付している。これにより、個々の構成要素についての重複する説明を省略する。
【００６１】
この画像形成装置２００では、上述の画像形成装置１００に対して、画像形成ユニットＹが、他の画像形成ユニットＭ，Ｃ，Ｋと同様に概ね角柱状に構成され、ホルダ２０８の直角の窪みに嵌合する態様で、ホルダ２０８に一体に取り付けられている点が異なっている。画像形成ユニットＹが、感光体ドラム２０４Ｙに対して、環状搬送路２３２に沿って隣り合った位置に補助ローラ２０９を備えている点は、上述の画像形成装置１００と同様である。また、この画像形成装置２００では、上述の画像形成装置１００に対して、転写ローラ対（２０４Ｙ，２０５Ｙ）を構成している対向ローラ２０５Ｙを環状搬送路２３２に沿って移動させる移動機構２９０を備えている点が異なっている。移動機構２９０は、この例では、対向ローラ２０５Ｙを環状搬送路２３２に沿って平行移動させる図示しないロッドと、対向ローラ２０５Ｙを安定して支持するためのコイルばねとからなる。なお、移動機構２９０の構成は、この例に限られるものではない。
【００６２】
この実施形態では、画像形成ユニットＹは、用紙９０の搬送の進行に同期して、コントローラ２２０によって制御される移動機構２９０によって、転写ローラ対（２０４Ｙ，２０５Ｙ）を構成している転写ローラ２０５Ｙが環状搬送路２３２に沿って移動される。これにより、転写ローラ対（２０４Ｙ，２０５Ｙ）を解消（すなわち、特定の像担持体ローラとしての感光体ドラム２０４Ｙと転写ローラ２０５Ｙとを離間）して、補助ローラ２０９と転写ローラ２０５Ｙとで搬送用のローラ対（２０９，２０５Ｙ）を構成するローラ対切り替え制御が行われる（詳しくは後述する。）。
【００６３】
カラー画像形成時は、この画像形成装置２００は、コントローラ２２０の制御によって、全体として次のように動作する。
【００６４】
待機時には、画像形成ユニットＹに関して、図３に示すように転写ローラ対（２０４Ｙ，２０５Ｙ）が構成されているものとする。
【００６５】
コントローラ２２０は、まず給紙ローラ対２０３を動作させて、給紙トレイ２０２から１枚の用紙９０を本体ケーシング内のシート導入路２３１へ取り込む。取り込まれた用紙９０は、このシート導入路２３１を通してシート搬送方向ｄ１に沿って環状搬送路２３２に導入される。環状搬送路２３２に導入された用紙９０は、湾曲したシート搬送方向ｄ２に沿って、転写ローラ対（２０４Ｙ，２０５Ｙ）のニップ部へ送り込まれる。これと同期して、コントローラ２２０は、画像形成ユニットＹの作像部２１０Ｙを動作させて、感光体ドラム２０４Ｙの表面にイエローのトナー画像を形成させる。用紙９０が転写ローラ対（２０４Ｙ，２０５Ｙ）のニップ部を通して搬送されることによって、その用紙９０上にイエローのトナー画像が転写される。転写ローラ対（２０４Ｙ，２０５Ｙ）を通過した用紙９０は、箇所２３２ｅに達する。このとき、コントローラ２２０による切換爪１２１の制御によって、用紙９０は、そのまま環状搬送路２３２を搬送される。続いて、その用紙９０は、湾曲したシート搬送方向ｄ３に沿って、転写ローラ対（２０４Ｍ，２０５Ｍ）のニップ部へ送り込まれる。これと同期して、コントローラ２２０は、画像形成ユニットＭの作像部２１０Ｍを動作させて、感光体ドラム２０４Ｍの表面にマゼンタのトナー画像を形成させる。用紙９０が転写ローラ対（２０４Ｍ，２０５Ｍ）のニップ部を通して搬送されることによって、その用紙９０上にマゼンタのトナー画像が転写される。続いて、その用紙９０は、湾曲したシート搬送方向ｄ４に沿って、転写ローラ対（２０４Ｃ，２０５Ｃ）のニップ部へ送り込まれる。これと同期して、コントローラ２２０は、画像形成ユニットＣの作像部２１０Ｃを動作させて、感光体ドラム２０４Ｃの表面にシアンのトナー画像を形成させる。用紙９０が転写ローラ対（２０４Ｃ，２０５Ｃ）のニップ部を通して搬送されることによって、その用紙９０上にシアンのトナー画像が転写される。続いて、その用紙９０は、湾曲したシート搬送方向ｄ５に沿って、転写ローラ対（２０４Ｋ，２０５Ｋ）のニップ部へ送り込まれる。これと同期して、コントローラ２２０は、画像形成ユニットＫの作像部２１０Ｋを動作させて、感光体ドラム２０４Ｋの表面にブラックのトナー画像を形成させる。用紙９０が転写ローラ対（２０４Ｋ，２０５Ｋ）のニップ部を通して搬送されることによって、その用紙９０上にブラックのトナー画像が転写される。これにより、用紙９０上に転写されるべき４色の画像の転写が完了する。
【００６６】
用紙９０の搬送が進行し、用紙９０の末尾が転写ローラ対（２０４Ｙ，２０５Ｙ）を通過した後、用紙９０の先端が再び転写ローラ対（２０４Ｙ，２０５Ｙ）に達する前に、コントローラ２２０と移動機構２９０がローラ対切替部として働いて、ローラ対切り替え制御が行われる。すなわち、コントローラ２２０によって制御される移動機構２９０によって、転写ローラ対（２０４Ｙ，２０５Ｙ）を構成している転写ローラ２０５Ｙが環状搬送路２３２に沿って図４中に示す矢印ｂＹの向き（時計回り）移動される。これにより、転写ローラ対（２０４Ｙ，２０５Ｙ）が解消されて、補助ローラ２０９と転写ローラ２０５Ｙとで搬送用のローラ対（２０９，２０５Ｙ）が構成される（ローラ対切り替え制御）。
【００６７】
なお、環状搬送路２３２のシート搬送方向ｄ２，ｄ３，ｄ４，ｄ５に沿った長さは、上記シート搬送方向に関する用紙９０の寸法よりも長く設定されているものとする。この場合、用紙９０の先端と末尾とが重なることがなく、用紙９０が円滑に搬送される。
【００６８】
ローラ対切り替え制御によって搬送用ローラ対（２０９，２０５Ｙ）が構成された状態で、用紙９０は、湾曲したシート搬送方向ｄ６に沿って、搬送用ローラ対（２０９，２０５Ｙ）のニップ部へ送り込まれる。この搬送用ローラ対（２０９，２０５Ｙ）によって、用紙９０を安定して搬送できる。このとき、コントローラ２２０は、画像形成ユニットＹの作像部２１０Ｙの動作を休止させる。この場合、４色の画像が転写された用紙９０上に再びイエローのトナー画像が転写されることがない。つまり、無用な色の画像がさらに転写されることがない。したがって、画像品質が良好になる。これとともに、省資源化を実現できる。搬送用ローラ対（２０９，２０５Ｙ）を通過した用紙９０は、シートを離脱させるべき箇所２３２ｅに達する。このとき、コントローラ２２０は、切換爪１２１を制御して、環状搬送路２３２からシート搬送方向ｄ７に沿ってシート離脱路２３３へ用紙９０を離脱させる。
【００６９】
用紙９０の搬送が進行し、用紙９０の末尾が搬送用ローラ対（２０９，２０５Ｙ）を通過すると、コントローラ２２０によって制御される移動機構２９０によって、転写ローラ２０５Ｙが環状搬送路２３２に沿って図４中に示す矢印ｂＹとは反対の向き（反時計回り）移動される。これにより、搬送用のローラ対（２０９，２０５Ｙ）が解消されて、次の画像転写のために、感光体ドラム２０４Ｙと転写ローラ２０５Ｙとで転写ローラ対（２０４Ｙ，２０５Ｙ）が構成される。
【００７０】
シート離脱路２３３へ送られた用紙９０は、定着ユニット２０６内の定着ローラ対（２６１，２６２）のニップ部を通して搬送される。用紙９０上のトナー画像は、定着ユニット２０６によってその用紙９０に定着される。
【００７１】
定着ユニット２０６を通過して画像が定着された用紙９０は、開口２０１ｅを通して、排紙トレイ２０７上に排出される。これによって、用紙９０上のトナー画像がその用紙９０に定着される。定着ユニット２０６を通過して画像が定着された用紙９０は、開口２０１ｅを通して、排紙トレイ２０７上に排出される。
【００７２】
このようにして、用紙９０が環状搬送路２３２を１周して４回のトナー画像（例えばイエロー、シアン、マゼンタ、ブラックの４色のトナー画像）の転写を受けた後、定着ユニット２０６を１回経ることによって、電子写真方式でカラー画像形成が行われる。
【００７３】
モノクロ画像形成時は、この画像形成装置２００は、コントローラ２２０の制御によって、全体として次のように動作する。
【００７４】
待機時には、画像形成ユニットＹに関して、図３に示すように転写ローラ対（２０４Ｙ，２０５Ｙ）が構成されているものとする。
【００７５】
まず、カラー画像形成時の場合と同様に、用紙９０は、給紙トレイ２０２からシート導入路２３１を通してシート搬送方向ｄ１に沿って環状搬送路２３２に導入される。用紙９０が本体ケーシング２０１内に取り込まれた後、転写ローラ対（２０４Ｙ，２０５Ｙ）に達する前に、コントローラ２２０と移動機構２９０がローラ対切替部として働いて、ローラ対切り替え制御が行われる。すなわち、コントローラ２２０によって制御される移動機構２９０によって、転写ローラ対（２０４Ｙ，２０５Ｙ）を構成している転写ローラ２０５Ｙが環状搬送路２３２に沿って図４中に示す矢印ｂＹの向き（時計回り）移動される。これにより、転写ローラ対（２０４Ｙ，２０５Ｙ）が解消されて、補助ローラ２０９と転写ローラ２０５Ｙとで搬送用のローラ対（２０９，２０５Ｙ）が構成される（ローラ対切り替え制御）。
【００７６】
環状搬送路２３２に導入された用紙９０は、湾曲したシート搬送方向シート搬送方向ｄ２，ｄ３，ｄ４に沿って、搬送用ローラ対（２０９，２０５Ｙ）、転写ローラ対（２０４Ｍ，２０５Ｍ）、転写ローラ対（２０４Ｃ，２０５Ｃ）を順次通して搬送される。このとき、コントローラ２２０は、画像形成ユニットＹ，Ｍ，Ｃの作像部２１０Ｙ，２１０Ｍ，２１０Ｃの動作を休止させる。これにより、最初に転写されるべきブラックの転写ローラ対（２０４Ｋ，２０５Ｋ）に達するまでに用紙９０が通過するローラ対（２０９，２０５Ｙ）、（２０４Ｍ，２０５Ｍ）、（２０４Ｃ，２０５Ｃ）を、搬送用のみに動作させる。
【００７７】
続いて、その用紙９０は、湾曲したシート搬送方向ｄ５に沿って、転写ローラ対（２０４Ｋ，２０５Ｋ）のニップ部へ送り込まれる。これと同期して、コントローラ２２０は、画像形成ユニットＫの作像部２１０Ｋを動作させて、感光体ドラム２０４Ｋの表面にブラックのトナー画像を形成させる。用紙９０が転写ローラ対（２０４Ｋ，２０５Ｋ）のニップ部を通して搬送されることによって、その用紙９０上にブラックのトナー画像が転写される。これにより、用紙９０上に転写されるべきブラックの画像の転写が完了する。
【００７８】
この後、用紙９０は、湾曲したシート搬送方向ｄ６に沿って、再び搬送用ローラ対（２０９，２０５Ｙ）のニップ部へ送り込まれる。このとき、コントローラ２２０は、カラー画像形成時の場合と同様に、画像形成ユニットＹの作像部２１０Ｙの動作を休止させる。搬送用ローラ対（２０９，２０５Ｙ）を通過した用紙９０は、シートを離脱させるべき箇所２３２ｅに達する。このとき、コントローラ２２０は、切換爪１２１を制御して、環状搬送路２３２からシート搬送方向ｄ７に沿ってシート離脱路２３３へ用紙９０を離脱させる。
【００７９】
シート離脱路２３３へ送られた用紙９０は、定着ユニット２０６内の定着ローラ対（２６１，２６２）のニップ部へ送り込まれる。用紙９０上のトナー画像は、定着ユニット２０６によってその用紙９０に定着される。定着ユニット２０６を通過して画像が定着された用紙９０は、開口２０１ｅを通して、排紙トレイ２０７上に排出される。
【００８０】
このようにした場合、搬送用ローラ対（２０９，２０５Ｙ）によって、用紙９０を安定して搬送できる。また、用紙９０に対してブラック以外の無用な色の画像が転写されることがない。したがって、画像品質が良好になる。これとともに、省資源化を実現できる。
【００８１】
また、既述の画像形成装置１００と同様に、この画像形成装置２００は小型に構成される。
【００８２】
（第３実施形態）
図５は、上述の画像形成装置１００を変形した別の変形例としての画像形成装置（全体を符号３００で示す。）の断面構造を示している。図５では、図１中の構成要素と対応する構成要素に２００ずつ増加した符号を付している。これにより、個々の構成要素についての重複する説明を省略する。
【００８３】
この画像形成装置３００は、上述の画像形成装置１００に対して、手差し給紙に特化した簡易型のものである点が異なっている。
【００８４】
具体的には、本体ケーシング３０１の上部、つまり環状搬送路３３２の上方に、手差し口（開口）３０１ｉが設けられている。この手差し口３０１ｉには、図示しない用紙センサが設けられている。この手差し口３０１ｉと環状搬送路３３２とが略鉛直方向に延びるシート導入路３３１によって接続されている。ユーザがこの手差し口３０１ｉにシートとしての用紙９０を１枚入れると、用紙センサは給紙されたことを検出する。そして、その用紙センサの出力に基づいて、コントローラ３２０が画像形成動作を開始するようになっている。この画像形成装置３００では、手差し口３０１ｉから略鉛直方向に延びるシート導入路３３１を通して、重力を利用してシートしての用紙９０が供給される。したがって、手差しによるシートの供給が円滑に行われる。
【００８５】
この画像形成装置３００では、４組の画像形成ユニットＹ，Ｍ，Ｃ，Ｋは、環状搬送路３３２の内周に沿って、シートが導入される箇所３３２ｉ（右側部）から見て画像形成ユニットＣ→Ｋ→Ｙ→Ｍという順番に、略９０°の角度間隔で並べて配置されている。画像形成ユニットＫ，Ｙ，Ｍは、それぞれ概ね角柱状に構成され、それぞれホルダ３０８の直角の窪みに嵌合する態様で、ホルダ３０８に一体に取り付けられている。画像形成ユニットＣは、概ね円柱状に構成され、ホルダ３０８の直角の窪みに収容される態様で、回転機構としてのモータ３９０を介してホルダ３０８に取り付けられている。この画像形成装置３００では、上述の画像形成装置１００の画像形成ユニットＹに代えて、画像形成ユニットＣが、特定の像担持体ローラとしての感光体ドラム３０４Ｃに対して、環状搬送路３３２に沿って隣り合った位置に補助ローラ３０９を備えている。
【００８６】
シートを離脱させるべき箇所３３２ｅは、環状搬送路３３２の図５において下部、この例では転写ローラ対（３０４Ｋ，３０５Ｋ）と（３０４Ｙ，３０５Ｙ）との間に設けられている。
【００８７】
本体ケーシング３０１内の下部に、定着ユニット３０６が設けられている。環状搬送路３３２のうちシートを離脱させるべき箇所３３２ｅと定着ユニット３０６の定着ローラ対（３６１，３６２）のニップ部とを、略水平方向に延びるシート離脱路３３３が接続している。本体ケーシング３０１の下部に、定着ユニット３０６に隣り合ってシート排出口としての開口３０１ｅが設けられている。そして、この開口３０１ｅに排紙トレイ３０７が取り付けられている。
【００８８】
カラー画像形成時は、この画像形成装置３００は、コントローラ３２０の制御によって、全体として次のように動作する。
【００８９】
待機時には、画像形成ユニットＣに関して、図５に示すように転写ローラ対（３０４Ｃ，３０５Ｃ）が構成されているものとする。
【００９０】
用紙９０は、手差し口３０１ｉからシート導入路３３１を通してシート搬送方向ｄ１に沿って環状搬送路３３２に導入される。環状搬送路３３２に導入された用紙９０は、湾曲したシート搬送方向ｄ２，ｄ３に沿って、転写ローラ対（３０４Ｃ，３０５Ｃ）、（３０４Ｋ，３０５Ｋ）を順次通して搬送される。このとき、コントローラ３２０は、画像形成ユニットＣ，Ｋの作像部３１０Ｃ，３１０Ｋの動作を休止させて、転写ローラ対（３０４Ｃ，３０５Ｃ）、（３０４Ｋ，３０５Ｋ）を搬送用のみに動作させる。つまり、最初に転写されるべきイエローの転写ローラ対（３０４Ｙ，３０５Ｙ）に達するまでに用紙９０が通過する転写ローラ対を、搬送用のみに動作させる。
【００９１】
この後、コントローラ３２０は、用紙９０を、湾曲したシート搬送方向ｄ４，ｄ５，ｄ６に沿って、転写ローラ対（３０４Ｙ，３０５Ｙ）、（３０４Ｍ，３０５Ｍ）、（３０４Ｃ，３０５Ｃ）、（３０４Ｋ，３０５Ｋ）を順次通して搬送させながら、作像部３１０Ｙ，３１０Ｍ，３１０Ｃ，３１０Ｋによって各感光体ドラム３０４Ｙ，３０４Ｍ，３０４Ｃ，３０４Ｋの表面に形成された画像を用紙９０に順次転写させる。これにより、用紙９０上に転写されるべき４色の画像の転写が完了する。
【００９２】
転写ローラ対（３０４Ｋ，３０５Ｋ）を通過した用紙９０は、シートを離脱させるべき箇所３３２ｅに達する。このとき、コントローラ３２０は、切換爪３２１を制御して、環状搬送路３３２からシート搬送方向ｄ７に沿ってシート離脱路３３３へ用紙９０を離脱させる。
【００９３】
シート離脱路３３３へ送られた用紙９０は、定着ユニット３０６内の定着ローラ対（３６１，３６２）のニップ部のニップ部へ送り込まれる。用紙９０上のトナー画像は、定着ユニット３０６によってその用紙９０に定着される。定着ユニット３０６を通過して画像が定着された用紙９０は、開口３０１ｅを通して、排紙トレイ３０７上に排出される。
【００９４】
なお、上述のカラー画像形成時には、ローラ対切り替え制御は行われない。ただし、これに限られるものではない。例えば、用紙９０が本体ケーシング３０１内に取り込まれた後、転写ローラ対（３０４Ｃ，３０５Ｃ）に達する前に、コントローラ３２０とモータ３９０がローラ対切替部として働いて、ローラ対切り替え制御を行ってもよい。
【００９５】
モノクロ画像形成時は、この画像形成装置３００は、コントローラ３２０の制御によって、全体として次のように動作する。
【００９６】
待機時には、画像形成ユニットＣに関して、図５に示すように転写ローラ対（３０４Ｃ，３０５Ｃ）が構成されているものとする。
【００９７】
まず、カラー画像形成時の場合と同様に、用紙９０は、手差し口３０１ｉからシート導入路３３１を通してシート搬送方向ｄ１に沿って環状搬送路３３２に導入される。用紙９０が本体ケーシング３０１内に取り込まれた後、転写ローラ対（３０４Ｃ，３０５Ｃ）に達する前に、コントローラ３２０とモータ３９０がローラ対切替部として働いて、ローラ対切り替え制御が行われる。すなわち、コントローラ３２０によって制御されるモータ３９０によって、画像形成ユニットＹは、この画像形成ユニットＹの中心の周りに図６中に示す矢印ａＣの向き（反時計回り）に一体に回転される。これにより、転写ローラ対（３０４Ｃ，３０５Ｃ）が解消されて、補助ローラ３０９と転写ローラ３０５Ｃとで搬送用のローラ対（３０９，３０５Ｃ）が構成される（ローラ対切り替え制御）。
【００９８】
なお、用紙９０が手差し口３０１ｉから本体ケーシング３０１内に取り込まれる前に、ユーザによってモノクロ画像形成モードの指示が入力されたときは、その時点で、このローラ対切り替え制御を行っても良い。これにより、搬送用のローラ対（３０９，３０５Ｃ）を早期に構成できる。
【００９９】
環状搬送路３３２に導入された用紙９０は、搬送用のローラ対（３０９，３０５Ｃ）のニップ部へ送り込まれる。このとき、コントローラ３２０は、画像形成ユニットＣの作像部３１０Ｃの動作を休止させる。これにより、最初に転写されるべきブラックの転写ローラ対（３０４Ｋ，３０５Ｋ）に達するまでに用紙９０が通過するローラ対（３０９，３０５Ｃ）を、搬送用のみに動作させる。
【０１００】
続いて、その用紙９０は、湾曲したシート搬送方向ｄ６に沿って、転写ローラ対（３０４Ｋ，３０５Ｋ）のニップ部へ送り込まれる。これと同期して、コントローラ３２０は、画像形成ユニットＫの作像部３１０Ｋを動作させて、感光体ドラム３０４Ｋの表面にブラックのトナー画像を形成させる。用紙９０が転写ローラ対（３０４Ｋ，３０５Ｋ）のニップ部を通して搬送されることによって、その用紙９０上にブラックのトナー画像が転写される。これにより、用紙９０上に転写されるべきブラックの画像の転写が完了する。
【０１０１】
転写ローラ対（３０４Ｋ，３０５Ｋ）を通過した用紙９０は、シートを離脱させるべき箇所３３２ｅに達する。このとき、コントローラ３２０は、切換爪３２１を制御して、環状搬送路３３２からシート搬送方向ｄ７に沿ってシート離脱路３３３へ用紙９０を離脱させる。
【０１０２】
シート離脱路３３３へ送られた用紙９０は、定着ユニット３０６内の定着ローラ対（３６１，３６２）のニップ部のニップ部へ送り込まれる。用紙９０上のトナー画像は、定着ユニット３０６によってその用紙９０に定着される。定着ユニット３０６を通過して画像が定着された用紙９０は、開口３０１ｅを通して、排紙トレイ３０７上に排出される。
【０１０３】
このように、比較的簡単な構成で、手差し給紙が可能な画像形成装置が実現される。また、搬送用ローラ対（３０９，３０５Ｃ）によって、用紙９０を安定して搬送できる。また、用紙９０に対してブラック以外の無用な色の画像が転写されることがない。したがって、画像品質が良好になる。これとともに、省資源化を実現できる。
【０１０４】
また、既述の画像形成装置１００，２００と同様に、この画像形成装置３００は小型に構成される。
【０１０５】
（第４実施形態）
図７は、上述の画像形成装置３００を変形した変形例としての画像形成装置（全体を符号４００で示す。）の断面構造を示している。図７では、図５中の構成要素と対応する構成要素にさらに１００ずつ増加した符号を付している。これにより、個々の構成要素についての重複する説明を省略する。
【０１０６】
この画像形成装置４００では、上述の画像形成装置３００に対して、画像形成ユニットＣが、他の画像形成ユニットＫ，Ｙ，Ｍと同様に概ね角柱状に構成され、ホルダ４０８の直角の窪みに嵌合する態様で、ホルダ４０８に一体に取り付けられている点が異なっている。画像形成ユニットＣが、感光体ドラム４０４Ｃに対して、環状搬送路４３２に沿って隣り合った位置に補助ローラ４０９を備えている点は、上述の画像形成装置３００と同様である。また、この画像形成装置４００では、上述の画像形成装置３００に対して、転写ローラ対（４０４Ｃ，４０５Ｃ）を構成している対向ローラ４０５Ｃを環状搬送路４３２に沿って移動させる移動機構４９０を備えている点が異なっている。移動機構４９０は、この例では、対向ローラ４０５Ｃを環状搬送路４３２に沿って平行移動させる図示しないロッドと、対向ローラ４０５Ｃを安定して支持するためのコイルばねとからなる。なお、移動機構４９０の構成は、この例に限られるものではない。
【０１０７】
この実施形態では、画像形成ユニットＣは、用紙９０の搬送の進行に同期して、コントローラ４２０によって制御される移動機構４９０によって、転写ローラ対（４０４Ｃ，４０５Ｃ）を構成している転写ローラ４０５Ｃが環状搬送路４３２に沿って移動される。これにより、転写ローラ対（４０４Ｃ，４０５Ｃ）を解消（すなわち、特定の像担持体ローラとしての感光体ドラム４０４Ｃと転写ローラ４０５Ｃとを離間）して、補助ローラ４０９と転写ローラ４０５Ｃとで搬送用のローラ対（４０９，４０５Ｃ）を構成するローラ対切り替え制御が行われる（詳しくは後述する。）。
【０１０８】
カラー画像形成時は、この画像形成装置４００は、コントローラ４２０の制御によって、上述の画像形成装置３００のカラー画像形成時と全く同様に、ローラ対切り替え制御を伴わずに動作する。ただし、これに限られるものではない。例えば、用紙９０が本体ケーシング４０１内に取り込まれた後、転写ローラ対（４０４Ｃ，４０５Ｃ）に達する前に、コントローラ４２０とモータ４９０がローラ対切替部として働いて、ローラ対切り替え制御を行ってもよい。
【０１０９】
モノクロ画像形成時は、この画像形成装置４００は、コントローラ４２０の制御によって、全体として次のように動作する。
【０１１０】
待機時には、画像形成ユニットＣに関して、図５に示すように転写ローラ対（４０４Ｃ，４０５Ｃ）が構成されているものとする。
【０１１１】
まず、カラー画像形成時の場合と同様に、用紙９０は、手差し口４０１ｉからシート導入路４３１を通してシート搬送方向ｄ１に沿って環状搬送路４３２に導入される。用紙９０が本体ケーシング４０１内に取り込まれた後、転写ローラ対（４０４Ｃ，４０５Ｃ）に達する前に、コントローラ４２０と移動機構４９０がローラ対切替部として働いて、ローラ対切り替え制御が行われる。すなわち、コントローラ４２０によって制御される移動機構４９０によって、転写ローラ対（４０４Ｃ，４０５Ｃ）を構成している転写ローラ４０５Ｃが環状搬送路４３２に沿って図８中に示す矢印ｂＣの向き（時計回り）移動される。これにより、転写ローラ対（４０４Ｃ，４０５Ｃ）が解消されて、補助ローラ４０９と転写ローラ４０５Ｃとで搬送用のローラ対（４０９，４０５Ｃ）が構成される（ローラ対切り替え制御）。
【０１１２】
なお、用紙９０が手差し口４０１ｉから本体ケーシング４０１内に取り込まれる前に、ユーザによってモノクロ画像形成モードの指示が入力されたときは、その時点で、このローラ対切り替え制御を行っても良い。これにより、搬送用のローラ対（４０９，４０５Ｃ）を早期に構成できる。
【０１１３】
環状搬送路４３２に導入された用紙９０は、搬送用のローラ対（４０９，４０５Ｃ）のニップ部へ送り込まれる。このとき、コントローラ４２０は、画像形成ユニットＣの作像部４１０Ｃの動作を休止させる。これにより、最初に転写されるべきブラックの転写ローラ対（４０４Ｋ，４０５Ｋ）に達するまでに用紙９０が通過するローラ対（４０９，４０５Ｃ）を、搬送用のみに動作させる。
【０１１４】
続いて、その用紙９０は、湾曲したシート搬送方向ｄ６に沿って、転写ローラ対（４０４Ｋ，４０５Ｋ）のニップ部へ送り込まれる。これと同期して、コントローラ４２０は、画像形成ユニットＫの作像部４１０Ｋを動作させて、感光体ドラム４０４Ｋの表面にブラックのトナー画像を形成させる。用紙９０が転写ローラ対（４０４Ｋ，４０５Ｋ）のニップ部を通して搬送されることによって、その用紙９０上にブラックのトナー画像が転写される。これにより、用紙９０上に転写されるべきブラックの画像の転写が完了する。
【０１１５】
転写ローラ対（４０４Ｋ，４０５Ｋ）を通過した用紙９０は、シートを離脱させるべき箇所４３２ｅに達する。このとき、コントローラ４２０は、切換爪４２１を制御して、環状搬送路４３２からシート搬送方向ｄ７に沿ってシート離脱路４３３へ用紙９０を離脱させる。
【０１１６】
シート離脱路４３３へ送られた用紙９０は、定着ユニット４０６内の定着ローラ対（４６１，４６２）のニップ部のニップ部へ送り込まれる。用紙９０上のトナー画像は、定着ユニット４０６によってその用紙９０に定着される。定着ユニット４０６を通過して画像が定着された用紙９０は、開口４０１ｅを通して、排紙トレイ４０７上に排出される。
【０１１７】
このように、比較的簡単な構成で、手差し給紙が可能な画像形成装置が実現される。また、搬送用ローラ対（４０９，４０５Ｃ）によって、用紙９０を安定して搬送できる。また、用紙９０に対してブラック以外の無用な色の画像が転写されることがない。したがって、画像品質が良好になる。これとともに、省資源化を実現できる。
【０１１８】
また、既述の画像形成装置１００，２００，３００と同様に、この画像形成装置４００は小型に構成される。
【０１１９】
（第５実施形態）
図９は、上述の画像形成装置４００をさらに変形した変形例としての画像形成装置（全体を符号５００で示す。）の断面構造を示している。図９では、図７中の構成要素と対応する構成要素にさらに１００ずつ増加した符号を付している。これにより、個々の構成要素についての重複する説明を省略する。
【０１２０】
この画像形成装置５００では、上述の画像形成装置４００に対して、ホルダ５９０と４組）の画像形成ユニットＹ，Ｍ，Ｃ，Ｋとからなる一体の内側ユニットＵに対して、さらに、ブラック転写ローラ対（５０４Ｋ，５０５Ｋ）を構成する転写ローラ４０５Ｋが一体に構成されている点が異なっている。この例では、内側ユニットＵに対して、さらに、転写ローラ５０５Ｋの両側に位置するガイド板５４２ａ，５４３ｂが一体に構成されている。この画像形成装置５００では、上述の画像形成装置４００の移動機構４９０に代えて、内側ユニットＵ、転写ローラ５０５Ｋおよびガイド板５４２ａ，５４３ｂを一体に、上記内側ユニットＵの中心の周りに回転させるモータ５９０が設けられている。このモータ５９０は、本体ケーシング５０１内に固定されている。このコントローラ５２０とモータ５９０は後述のローラ対切替部として働く。
【０１２１】
カラー画像形成時は、この画像形成装置５００は、コントローラ５２０の制御によって、上述の画像形成装置４００のカラー画像形成時と全く同様に、ローラ対切り替え制御を伴わずに動作する。この画像形成装置５００では、カラー画像形成時にはローラ対切り替え制御は行われることがない。
【０１２２】
待機時には、画像形成ユニットＣに関して、図５に示すように転写ローラ対（５０４Ｃ，５０５Ｃ）が構成されているものとする。
【０１２３】
まず、カラー画像形成時の場合と同様に、用紙９０は、手差し口５０１ｉからシート導入路５３１を通してシート搬送方向ｄ１に沿って環状搬送路５３２に導入される。用紙９０が本体ケーシング５０１内に取り込まれた後、転写ローラ対（５０４Ｃ，５０５Ｃ）に達する前に、コントローラ５２０とモータ５９０がローラ対切替部として働いて、ローラ対切り替え制御が行われる。すなわち、コントローラ５２０によって制御されるモータ５９０によって、内側ユニットＵ、転写ローラ５０５Ｋおよびガイド板５４２ａ，５４３ｂが一体に、上記内側ユニットＵの中心の周りに図１０中に示す矢印ａＹ，ａＭ，ａＣ，ａＫの向き（反時計回り）に回転される。これにより、転写ローラ対（５０４Ｃ，５０５Ｃ）が解消されて、補助ローラ５０９と転写ローラ５０５Ｃとで搬送用のローラ対（５０９，５０５Ｃ）が構成される（ローラ対切り替え制御）。
【０１２４】
なお、用紙９０が手差し口５０１ｉから本体ケーシング５０１内に取り込まれる前に、ユーザによってモノクロ画像形成モードの指示が入力されたときは、その時点で、このローラ対切り替え制御を行っても良い。これにより、搬送用のローラ対（５０９，５０５Ｃ）を早期に構成できる。
【０１２５】
環状搬送路５３２に導入された用紙９０は、搬送用のローラ対（５０９，５０５Ｃ）のニップ部へ送り込まれる。このとき、コントローラ５２０は、画像形成ユニットＣの作像部５１０Ｃの動作を休止させる。これにより、最初に転写されるべきブラックの転写ローラ対（５０４Ｋ，５０５Ｋ）に達するまでに用紙９０が通過するローラ対（５０９，５０５Ｃ）を、搬送用のみに動作させる。
【０１２６】
続いて、その用紙９０は、湾曲したシート搬送方向ｄ６に沿って、転写ローラ対（５０４Ｋ，５０５Ｋ）のニップ部へ送り込まれる。これと同期して、コントローラ５２０は、画像形成ユニットＫの作像部５１０Ｋを動作させて、感光体ドラム５０４Ｋの表面にブラックのトナー画像を形成させる。用紙９０が転写ローラ対（５０４Ｋ，５０５Ｋ）のニップ部を通して搬送されることによって、その用紙９０上にブラックのトナー画像が転写される。これにより、用紙９０上に転写されるべきブラックの画像の転写が完了する。
【０１２７】
転写ローラ対（５０４Ｋ，５０５Ｋ）を通過した用紙９０は、シートを離脱させるべき箇所５３２ｅに達する。このとき、コントローラ５２０は、切換爪５２１を制御して、環状搬送路５３２からシート搬送方向ｄ７に沿ってシート離脱路５３３へ用紙９０を離脱させる。
【０１２８】
シート離脱路５３３へ送られた用紙９０は、定着ユニット５０６内の定着ローラ対（５６１，５６２）のニップ部のニップ部へ送り込まれる。用紙９０上のトナー画像は、定着ユニット５０６によってその用紙９０に定着される。定着ユニット５０６を通過して画像が定着された用紙９０は、開口５０１ｅを通して、排紙トレイ５０７上に排出される。
【０１２９】
このように、比較的簡単な構成で、手差し給紙が可能な画像形成装置が実現される。また、搬送用ローラ対（５０９，５０５Ｃ）によって、用紙９０を安定して搬送できる。また、用紙９０に対してブラック以外の無用な色の画像が転写されることがない。したがって、画像品質が良好になる。これとともに、省資源化を実現できる。
【０１３０】
また、既述の画像形成装置１００，２００，３００，４００と同様に、この画像形成装置５００は小型に構成される。
【０１３１】
上述の各例では、本発明が電子写真方式の画像形成装置に適用されるものとした。しかしながら、これに限られるものではない。本発明は、電子写真方式以外の他の方式の画像形成装置にも適用され得る。
【０１３２】
また、本発明は、４組の転写ローラ対を備える画像形成装置だけでなく、例えば３組の転写ローラ対を備える画像形成装置など、複数組の転写ローラ対を備える画像形成装置に広く適用できる。
【０１３３】
また、シートとしては、紙だけでなく、ＯＨＰ（オーバヘッドプロジェクタ）用フィルムなどのプラスチックフィルムも使用可能である。
【０１３４】
上記環状搬送路の外周側、あるいはシート離脱路に沿って、用紙の搬送のための補助手段として、例えばサクションベルトのような用紙の片面のみを保持して搬送する手段を設けても良い。
【図面の簡単な説明】
【０１３５】
【図１】この発明の第１実施形態の画像形成装置の断面構造を示す図である。
【図２】図１の画像形成装置の動作を説明する図である。
【図３】この発明の第２実施形態の画像形成装置の断面構造を示す図である。
【図４】図３の画像形成装置の動作を説明する図である。
【図５】この発明の第３実施形態の画像形成装置の断面構造を示す図である。
【図６】図５の画像形成装置の動作を説明する図である。
【図７】この発明の第４実施形態の画像形成装置の断面構造を示す図である。
【図８】図７の画像形成装置の動作を説明する図である。
【図９】この発明の第５実施形態の画像形成装置の断面構造を示す図である。
【図１０】図９の画像形成装置の動作を説明する図である。
【符号の説明】
【０１３６】
１００，２００，３００，４００，５００  画像形成装置
１０１，２０１，３０１，４０１，５０１  本体ケーシング
Ｙ，Ｍ，Ｃ，Ｋ  画像形成ユニット
１０４Ｙ，１０４Ｍ，１０４Ｃ，１０４Ｋ，２０４Ｙ，２０４Ｍ，２０４Ｃ，２０４Ｋ，３０４Ｙ，３０４Ｍ，３０４Ｃ，３０４Ｋ，４０４Ｙ，４０４Ｍ，４０４Ｃ，４０４Ｋ，５０４Ｙ，５０４Ｍ，５０４Ｃ，５０４Ｋ  感光体ドラム
１０５Ｙ，１０５Ｍ，１０５Ｃ，１０５Ｋ，２０５Ｙ，２０５Ｍ，２０５Ｃ，２０５Ｋ，３０５Ｙ，３０５Ｍ，３０５Ｃ，３０５Ｋ，４０５Ｙ，４０５Ｍ，４０５Ｃ，４０５Ｋ，５０５Ｙ，５０５Ｍ，５０５Ｃ，５０５Ｋ  転写ローラ
１０６，２０６，３０６，４０６，５０６  定着ユニット
１１０Ｙ，１１０Ｍ，１１０Ｃ，１１０Ｋ，２１０Ｙ，２１０Ｍ，２１０Ｃ，２１０Ｋ，３１０Ｙ，３１０Ｍ，３１０Ｃ，３１０Ｋ，４１０Ｙ，４１０Ｍ，４１０Ｃ，４１０Ｋ，５１０Ｙ，５１０Ｍ，５１０Ｃ，５１０Ｋ  作像部
【図１】
2009300561.tif 000003
【図２】
2009300561.tif 000004
【図３】
2009300561.tif 000005
【図４】
2009300561.tif 000006
【図５】
2009300561.tif 000007
【図６】
2009300561.tif 000008
【図７】
2009300561.tif 000009
【図８】
2009300561.tif 000010
【図９】
2009300561.tif 000011
【図１０】
2009300561.tif 000012